(57)【特許請求の範囲】
【請求項１】
排尿を受けて排出する小便器であって、
排尿を受けるボウル面を備えたボウル部と、
上記ボウル部の上部に設けられボウル面に洗浄水を吐水する吐水装置と、
上記ボウル部の底部に設けられた排水口と連通して洗浄水を排出すると共に上記ボウル部の下流側に封水を形成する排水トラップ部と、を有し、
上記排水トラップ部が、上記排水口から下方に延びる下降管路と、この下降管路の出口に接続され横方向に延びる横引管路と、この横引管路の出口に接続され上方に延びる上昇管路と、を備え、
上記排水トラップ部の下降管路は前壁と後壁を備え、上記上昇管路は前壁と後壁を備え、上記下降管路の後壁と上昇管路の前壁は共通壁により形成され、
上記排水トラップ部の横引管路は、上記共通壁下端と底面を通る上下方向の断面における高さ方向の中央位置より小便器内部側の断面積が上記高さ方向の中央位置より小便器外部側の断面積よりも小さくなるように形成され、または、上記上昇管路は、その共通壁下端より上方の前壁と後壁とを通る前後方向の断面における前後方向の中央位置より小便器内部側の断面積が上記前後方向の中央位置より小便器外部側の断面積よりも小さくなるように形成されていることを特徴とする小便器。
【請求項２】
上記排水トラップ部の上昇管路は、その前後方向の断面積が入口から出口までほぼ一定となるように形成されていることを特徴とする請求項１に記載の小便器。
【請求項３】
上記排水トラップ部の下降管路は、その前後方向の断面積が入口から出口まで徐々に減少するように形成されていることを特徴とする請求項１または請求項２に記載の小便器。
【請求項４】
上記排水トラップ部の下降管路は、その前後方向の断面がほぼ円形に形成されていることを特徴とする請求項１乃至請求項３の何れか１項に記載の小便器。
【請求項５】
上記排水トラップ部の横引管路の共通壁下端と底面を通る上下方向の断面における高さ寸法、および、上昇管路の共通壁下端よりも上方の前壁と後壁を通る前後方向の断面における幅寸法は、上記下降管路の出口の前後方向の断面の最小の幅寸法とほぼ同一の大きさとなるように形成されていることを特徴とする請求項１乃至請求項４の何れか１項に記載の小便器。
【発明の詳細な説明】
【技術分野】
【０００１】
本発明は、小便器に係り、特に、排尿を受けて排出する小便器に関する。
【背景技術】
【０００２】
特許文献１および特許文献２に示されているように、使用者の尿を受けるボウル部の下方に排水トラップを備えた小便器が知られている。
特許文献１および特許文献２に示された小便器において、排水トラップは、下向きに延びる下降管路と、下降管路から緩やかに屈曲して横向きに延びる横引管路と、横引管路から同様に緩やかに屈曲して上向きに延びる上昇管路と、を有し、ほぼＵ字形状となっている。
排水トラップの底部には、排水配管からの臭気等のトイレ空間への侵入を防ぐために常に所定量の溜水が溜められており、この溜水によって封水が形成されるようになっている。
【０００３】
このような従来の小便器において、使用者が放尿を行うと、排水トラップ内に尿が流れ込み、この流れ込んだ尿によって溜水の大部分が排出され、排水トラップ内には尿と水とが混ざり合った尿濃度の高い液体が溜水として存在することになる。
使用者の使用後のボウル部を洗浄するためにボウル部に洗浄水を流すと、この洗浄水が新たにボウル部から排水トラップ内に流入し、尿濃度の高い溜水が排水トラップから排出され、排水トラップ内の尿と水とが混ざり合った尿濃度の高い溜水が新たに排水トラップ内に流入する尿濃度の低い洗浄水に置換される。
【０００４】
この排水トラップ内の尿と水とが混ざり合った尿濃度の高い溜水が、新たに排水トラップ内に流入する尿濃度の低い洗浄水に置換される際の置換率（排水トラップ内に溜まっていた溜水が新たな洗浄水により置換される割合）が低いと、置換後の溜水における尿濃度が高くなり、排水トラップ内に尿石が発生しやすくなり、従来から問題となっていた。
【先行技術文献】
【特許文献】
【０００５】
【特許文献１】特開２０１３−１４９６５号公報
【特許文献２】特開２０１１−２１４２６２号公報
【発明の概要】
【発明が解決しようとする課題】
【０００６】
一方、近年、環境意識の高まりによる節水化の要請が更に高まっており、ボウル部を洗浄する洗浄水量の低減が求められている。
しかしながら、洗浄水量を減少させると、尿濃度の高い溜水を置換するための洗浄水量が減少してしまい、溜水の置換率が低くなりやすくなり、置換後の溜水における尿濃度が高いままとなるため、排水トラップ内に尿石が生じやすくなってしまう。
そのため、比較的少ない洗浄水量であっても、尿濃度の高い溜水を置換して、置換率を向上させることが要望されている。
【０００７】
この解決課題に関し、本発明者らは鋭意研究することにより以下の知見を見出した。
先ず、置換率を向上させるためには、排水トラップをコンパクトに形成して少ない溜水量で封水を形成することが考えられるが、排水トラップをコンパクトに形成すると、排水トラップの下降管路から横引管路への屈曲および横引管路から上昇管路への屈曲が急になり、排水トラップ内の流れ方向が各管路の接続部で急激に変化する。
これにより、各管路の接続部において小便器の内部側と小便器の外部側との間で洗浄水の流速差が発生しやすくなる。
【０００８】
このように、各管路の接続部において小便器内部側と小便器外部側との間で洗浄水の流速差が発生してしまうと、洗浄水の流れの淀みが管路内で生じやすくなり、排水トラップ内の溜水の置換率を向上させることができないことを見出した。
【０００９】
そこで、本発明は、従来技術の欠点を解決するためになされたものであり、溜水の置換率を向上させて、排水トラップにおける尿石の堆積を抑制することができる小便器を提供することを目的とする。
【課題を解決するための手段】
【００１０】
上記の目的を達成するために、本発明は、排尿を受けて排出する小便器であって、排尿を受けるボウル面を備えたボウル部と、ボウル部の上部に設けられボウル面に洗浄水を吐水する吐水装置と、ボウル部の底部に設けられた排水口と連通して洗浄水を排出すると共にボウル部の下流側に封水を形成する排水トラップ部と、を有し、排水トラップ部が、排水口から下方に延びる下降管路と、この下降管路の出口に接続され横方向に延びる横引管路と、この横引管路の出口に接続され上方に延びる上昇管路と、を備え、排水トラップ部の下降管路は前壁と後壁を備え、上昇管路は前壁と後壁を備え、下降管路の後壁と上昇管路の前壁は共通壁により形成され、排水トラップ部の横引管路は、共通壁下端と底面を通る上下方向の断面における高さ方向の中央位置より小便器内部側の断面積が高さ方向の中央位置より小便器外部側の断面積よりも小さくなるように形成され、または、上昇管路は、その共通壁下端より上方の前壁と後壁とを通る前後方向の断面における前後方向の中央位置より小便器内部側の断面積が前後方向の中央位置より小便器外部側の断面積よりも小さくなるように形成されている。
このように構成された発明においては、排水トラップ部の横引管路は、共通壁下端と底面を通る上下方向の断面における高さ方向の中央位置より小便器内部側の断面積が高さ方向の中央位置より小便器外部側の断面積よりも小さくなるように形成され、または、上昇管路は、その共通壁下端より上方の前壁と後壁とを通る前後方向の断面における前後方向の中央位置より小便器内部側の断面積が前後方向の中央位置より小便器外部側の断面積よりも小さくなるように形成されているので、排水トラップ部の横引管路または上昇管路の断面の中央位置より内側の流速と断面の中央位置より外側の流速との速度差が抑制され、これにより、横引管路または上昇管路における流れの淀みが抑制されるため、排水トラップ部内の溜水の置換率が向上し、横引管路または上昇管路における尿石の堆積を抑制することができる。
【００１１】
本発明において、好ましくは、排水トラップ部の上昇管路は、その前後方向の断面積が入口から出口までほぼ一定となるように形成されている。
このように構成された発明においては、排水トラップ部の上昇管路は、その前後方向の断面積が入口から出口までほぼ一定となるように形成されているので、排水トラップ部の上昇管路内で流速の変化が生じにくくなり、排水トラップ部の上昇管路における流れの淀みが抑制されるため、上昇管路における尿石の堆積をさらに抑制することができる。
なお、ここでいう「ほぼ一定」とは、断面積が完全に一定である場合を含むとともに、完全に一定である場合と同様な効果を奏する程度の「ほぼ一定」の場合を含むものである。
【００１２】
本発明において、好ましくは、排水トラップ部の下降管路は、その前後方向の断面積が入口から出口まで徐々に減少するように形成されている。
このように構成された発明においては、排水トラップ部の下降管路は、その前後方向の断面積が入口から出口まで徐々に減少するように形成されているので、下流側に向かうにつれて下降管路内の流速が高まることで排水トラップ部内の溜水の置換が速やかに行われるため、横引管路および上昇管路における尿石の堆積をさらに抑制することができる。
【００１３】
本発明において、好ましくは、排水トラップ部の下降管路は、その前後方向の断面がほぼ円形に形成されている。
このように構成された発明においては、排水トラップ部の下降管路は、その前後方向の断面がほぼ円形に形成されているので、下降管路の断面積が横引管路の入口の面積より大きくなり、横引管路内に流入する流れが下降管路内より加速されることで、横引管路における流れの淀みを抑制されるため、横引管路における尿石の堆積をさらに抑制することができる。
なお、ここでいう「ほぼ円形」とは、完全に円形である場合を含むとともに、完全に円形である場合と同様な効果を奏する程度の楕円等の「ほぼ円形」の場合を含むものである。
【００１４】
本発明において、好ましくは、排水トラップ部の横引管路の共通壁下端と底面を通る上下方向の断面における高さ寸法、および、上昇管路の共通壁下端よりも上方の前壁と後壁を通る前後方向の断面における幅寸法は、下降管路の出口の前後方向の断面の最小の幅寸法とほぼ同一の大きさとなるように形成されている。
このように構成された発明においては、排水トラップ部の横引管路の共通壁下端と底面を通る上下方向の断面における高さ寸法、および、上昇管路の共通壁下端よりも上方の前壁と後壁を通る前後方向の断面における前後方向の幅寸法は、下降管路の出口の前後方向の断面の最小の幅寸法とほぼ同一の大きさとなるように形成されているので、排水トラップ部内の排水の流速が維持された状態となり、乱流が発生し難くなることで横引管路または上昇管路における流れの淀みを抑制されるため、排水トラップ部内の溜水の置換が速やかに行われ、横引管路および上昇管路における尿石の堆積をさらに抑制することができる。
なお、ここでいう「ほぼ同一」とは、完全に同一である場合を含むとともに、完全に同一である場合と同様な効果を奏する程度の「ほぼ同一」の場合を含むものである。
【発明の効果】
【００１５】
本発明の小便器によれば、溜水の置換率が向上させて、排水トラップにおける尿石の堆積を抑制することができる。
【図面の簡単な説明】
【００１６】
【図１】本発明の実施形態による小便器を前方の上方から見た正面斜視図である。
【図２】図１のＩＩ−ＩＩ線に沿って見た断面図である。
【図３】図２に示す小便器の排水トラップ部近傍の部分拡大断面図である。
【図４】図２のＩＶ−ＩＶ線に沿って見た部分断面図である。
【図５】図２のＶ−Ｖ線に沿って見た部分断面図である。
【図６】本発明の実施形態による小便器における洗浄水の流れを示す図である。
【発明を実施するための形態】
【００１７】
以下、添付図面を参照して、本発明の実施形態による小便器の基本構造を説明する。
図１は本発明の実施形態による小便器を前方の上方から見た正面斜視図であり、図２は図１のＩＩ−ＩＩ線に沿って見た断面図である。
【００１８】
図１および図２に示すように、本発明の実施形態による小便器１は、前方側にボウル状に形成されたボウル部１０を備えている。
【００１９】
またボウル部１０には、使用者の排尿を受けるボウル面１２が形成されており、このボウル面１２は、上下方向に沿って見たとき、その上部が比較的大きな曲率半径を有する円弧面として形成され、その下部が比較的小さな曲率半径を有する円弧面として形成され、その底部が鉢状に湾曲しながら収束するような形状として形成されている。
【００２０】
ボウル部１０の上方には、ボウル面１２を洗浄する洗浄水Ｗを吐水する吐水装置３０が設けられており、この吐水装置３０の後方側には、洗浄水Ｗを供給する給水管３２が接続されている。
吐水装置３０は、人体検知センサ（図示されない）からの検知信号および所定の制御プログラム等に基づいて、ボウル面１２に洗浄水Ｗを吐水するようになっている。
【００２１】
ボウル部１０内の下方領域Ｒ１の最低位置には、ボウル面１２を洗浄した洗浄水が排水される排水口１４が形成されており、この排水口１４の下流側には、排水口１４と連通する排水トラップ部４０が形成されている。
そしてボウル部１０には、排水口１４を覆う目皿２０が載置されている。
【００２２】
また、排水トラップ部４０は、排水口１４から下方に延びる下降管路４２と、この下降管路４２の出口４２ｄ（図３参照）と接続されると共に下降管路４２から緩やかに屈曲して水平方向に延びる横引管路４４と、この横引管路４４の横引管路出口４４ｄ（図３参照）と接続されると共に横引管路４４から同様に緩やかに屈曲して上向きに延びる上昇管路４６と、を備えている。
【００２３】
横引管路４４には洗浄水が溜水として溜まり、これによって排水トラップ部４０内に封水が形成され、この封水により小便器１の外部の下水等からの臭気等がボウル部１０やその周囲のトイレ空間内へ溢れ出ることを防止している。
【００２４】
そして、下降管路４２と上昇管路４６とは共通壁４８を介して隣接し、これにより排水トラップ部４０の大きさが小型化され、排水トラップ部４０内に貯留される溜水の量が従来の小便器と比べて低減される。
【００２５】
また、排水トラップ部４０の下流側には、排水室６０が接続され、この排水室６０により、ボウル面１２を洗浄して排水口１４から排水トラップ部４０に流れ込んだ洗浄水（排水）を小便器１の背面外側の排水管路部５０に排出させるようになっている。
排水管路部５０は、一端が排水室６０と接続される排水ソケット５２と、この排水ソケット５２の他端に接続される排水用の排水配管５４とを備えている。
なお、本実施形態においては、排水室６０に排水ソケット５２が接続されているが、排水ソケット５２を設けることなく、排水室６０に排水用の排水配管５４を直接的に接続するようにしてもよい。
【００２６】
また、本実施形態では、排水室６０については、排水トラップ部４０の上昇管路４６に一体的に形成されているが、樹脂等を用いて排水トラップ部４０と別体に形成してもよい。
【００２７】
次いで、図３乃至図５を用いて、本発明の実施形態による小便器の排水トラップ部について詳細に説明する。
図３は図２に示す小便器の排水トラップ部近傍の部分拡大断面図であり、図４は図３のＩＶ−ＩＶ線に沿って見た部分断面図であり、図５は図３のＶ−Ｖ線に沿って見た部分断面図である。
【００２８】
図４に示すように、排水トラップ部４０の下降管路４２は、その断面がほぼ円形形状である。
さらに図３に示すように、下降管路４２は、下降管路４２の前方側の下降管路前壁４２ａと、下降管路４２の後方側の下降管路後壁４２ｂを形成する共通壁４８とにより形成されている。
下降管路４２の下降管路前壁４２ａと下降管路後壁４２ｂとは、下降管路４２の中心軸線Ｃに対してほぼ対称であり、且つ、下流に向かうほど断面積が小さくなるように形成されている。
このため、下降管路４２の入口４２ｃの断面積が最も大きく、出口４２ｄが最も小さくなるように形成されている。
【００２９】
排水トラップ部４０の横引管路４４は、下降管路４２の出口４２ｄに接続される横引管路入口４４ａと、上下方向の流路を水平方向の流路へと変える第一屈曲部４４ｂと、この第一屈曲部４４ｂの下流側に接続され水平方向の流路を形成する水平部４４ｃと、この水平部４４ｃの下流端にあり後述する上昇管路４６と接続される横引管路出口４４ｄと、を備えており、この第一屈曲部４４ｂにより、下降する洗浄水をスムーズに横引管路４４の水平部４４ｃに導入し易くしている。
【００３０】
図５に示すように、横引管路４４の水平部４４ｃの断面Ａの形状は、断面Ａの垂直方向の中央線Ｃ１に対して、小便器外部側（下方側）はほぼ半円形状であり、小便器内部側（上方側）はほぼ台形形状である。
このため、横引管路４４の水平部４４ｃの断面Ａにおいて、小便器内部側の面積Ｓ１は、小便器外部側の面積Ｓ２より小さくなっている。
【００３１】
なお、排水トラップ部４０の横引管路４４の断面の上下方向の高さ寸法は、下降管路４２の出口４２ｄの流路断面の最小の幅寸法とほぼ同一である。
また、横引管路４４の第一屈曲部４４ｂの断面形状は、流れ方向の全域にわたって横引管路４４の水平部４４ｃと同一の形状となっているが、下降管路４２の断面形状から横引管路４４の水平部４４ｃの断面形状へと下流側につれて連続的に変化してもよい。
【００３２】
排水トラップ部４０の上昇管路４６は、その入口が横引管路４４の横引管路出口４４ｄと接続され水平方向の流路を上下方向の流路へと変える第二屈曲部４６ａと、この第二屈曲部４６ａの出口と接続され上方に延びる上昇部４６ｂとを備えており、この第二屈曲部４６ａにより、洗浄水をスムーズに上昇管路４６の上昇部４６ｂに供給し易くなっている。
【００３３】
また、上昇管路４６の上昇部４６ｂは、共通壁４８により形成される前方側の上昇部前壁４６ｃと、後方側の上昇部後壁４６ｄとを備えており、この上昇部前壁４６ｃと上昇部後壁４６ｄとは、前後方向においてほぼ平行で傾斜しているため、上昇部前壁４６ｃと上昇部後壁４６ｄとの間の距離は、上昇部４６ｂの入口から出口までほぼ一定である。
【００３４】
図４に示すように、上昇管路４６の上昇部４６ｂの断面Ｂは、断面Ｂの前後方向の中央線Ｃ２に対して、小便器外部側（後方側）はほぼ山型形状であり、小便器内部側（前方側）はほぼ台形形状である。
また、上昇管路４６の上昇部４６ｂの断面Ｂにおいて、小便器内部側の面積Ｓ３は、小便器外部側の面積Ｓ４より小さい。
【００３５】
なお、上昇管路４６の断面の前後方向の幅寸法は、下降管路４２の出口４２ｄの流路断面の最小の幅寸法とほぼ同一である。
また、上昇管路４６の第二屈曲部４６ａの断面形状は、流れ方向の全域にわたって水平部４４ｃの断面Ａと同一の形状であるが、横引管路４４の水平部４４ｃの断面形状から上昇管路４６の上昇部４６ｂの断面Ｂの形状へと下流側につれて連続的に変化してもよい。
【００３６】
上昇管路４６の上昇部４６ｂの断面Ｂは、上昇管路４６の上昇部４６ｂの入口から出口までほぼ同一形状であるため、上昇管路４６の上昇部４６ｂの断面Ｂの断面積は、上昇管路４６の上昇部４６ｂの入口から出口までほぼ一定である。
【００３７】
上述したように共通壁４８は、下降管路４２の後方側の側面である下降管路後壁４２ａおよび上昇管路４６の前方側の側面である上昇管路前壁４６ｃによって形成されている。
これにより、排水トラップ部４０内の洗浄水の流れは、下降管路４２内においては下方に流れ、共通壁４８近傍では共通壁４８の下端の折り返し流路形成部４８ａを中心として、横引管路４４を通りながら半回転近くするように向きを変えながら流れ、上昇管路４６内においては上方に流れる。
すなわち、本実施形態の排水トラップ部４０は、下降管路４２を流下する流れから、横引管路４４を通りながら急激に折り返して向きを変え、共通壁４８を挟んだ裏側（後方側）に形成された上昇管路４６内をほぼ１８０度流れの向きを上向きに変えて上昇するような流れを生じるように形成されている。
【００３８】
次に、上述した本発明の実施形態による小便器の動作について説明する。
使用者が排尿する前においては、排水トラップ部４０内は尿濃度の低い洗浄水が溜水として存在している。
そして、使用者が小便器１に排尿すると、ボウル部１０の排水口１４から排水トラップ部４０内に尿が流れ込み、この流れ込んだ尿によって、もともと存在していた尿濃度の低い溜水の大部分が排出され（置換され）、排水トラップ部４０内には尿と水とが混ざり合った尿濃度の非常に高い溜水が存在することになる。
【００３９】
そして、使用者が排尿を終えて小便器１の前から立ち去ると、人体検知センサ（図示されない）の出力により、所定量の洗浄水Ｗが吐水装置２０からボウル部１０に吐水され、ボウル部１０を広がりながら流下して、排水口１４に到達する。
洗浄水Ｗは、このとき排水口１４へ向けて全周方向からほぼ均一な流量の流れとして流下する。
【００４０】
ここで、下降管路４２の下降管路前壁４２ａと下降管路後壁４２ｂとは、下降管路４２の中心軸線Ｃに対して対称であるため、下降管路４２内を流下する洗浄水の流れが中心軸線Ｃに対して対称になる。
したがって、洗浄水は、前後左右方向においてほぼ均等に下方に向かって流下する流れとなり、洗浄水は下降管路４２において流れの淀みを発生させることなくスムーズに流れることができるため、横引管路４４の横引管路入口４４ａに流入する洗浄水も、前後左右方向においてほぼ均等に下方に向かって流入する流れを形成する。
【００４１】
また、上述した排水トラップ部４０の下降管路４２の断面積が、入口４２ｃから出口４２ｄまで徐々に減少しているため、下流側に向かうにつれて下降管路４２内の流速が高まり、横引管路４４における流れの淀みを抑制される。
【００４２】
さらに、排水トラップ部４０の下降管路４２の断面形状が、ほぼ円形であるので、下降管路４２の断面積が横引管路４４の入口部の面積より大きくなり、横引管路４４内に流入する流れが下降管路４２内より加速され、これにより横引管路４４における流れの淀みを抑制される。
【００４３】
次に、排水トラップ部４０の横引管路４４内の流れについて説明する。
横引管路４４の横引管路入口４４ａに流入する洗浄水は、前後左右方向においてほぼ均等に下方に向かって流入する流れを形成しており、横引管路入口４４ａから水平部４４ｃに至る第一屈曲部４４ｂの排水方向の断面形状は、上述したように、断面の中央線より内側の面積が断面の中央線より外側の面積よりも小さい。
そのため、横引管路４４の第一屈曲部４４ｂの断面形状が略円形形状の場合におきる、断面の中央線より内側の流速と断面の中央線より外側の流速との速度差が抑制される。
これにより、第一屈曲部４４ｂにおいて、断面Ａの中央線Ｃ１より内側の流速と断面Ａの中央線Ｃ１より外側の流速が略均一となり、第一屈曲部４４ｂにおける流れの淀みが抑制される。
また、第一屈曲部４４ｂに接続される水平部４４ｃについても、第一屈曲部４４ｂと同様の断面形状を有しているため、断面Ａの中央線Ｃ１より内側の流速と断面Ａの中央線Ｃ１より外側の流速がほぼ均一となり、水平部４４ｃおける流れの淀みが抑制される。
【００４４】
次に、排水トラップ部４０の上昇管路４６内の流れについて説明する。
横引管路４４の横引管路出口４４ｄから上昇管路４６の上昇部４６ｂの入口までを連通する第二屈曲部４６ａの排水方向の断面形状は、上述したように、断面の中央線より内側の面積が断面の中央線より外側の面積よりも小さい。
そのため、上昇管路４６の第二屈曲部４６ａの断面形状がほぼ円形形状の場合に生じる、断面の中央線より内側の流速と断面の中央線より外側の流速との速度差が抑制されるため、上昇管路４６の第二屈曲部４６ａにおいて、断面の中央線より内側の流速と断面の中央線より外側の流速がほぼ均一となり、第二屈曲部４６ａにおける流れの淀みが抑制される。
【００４５】
さらに、上昇管路４６の上昇部４６ｂは、第二屈曲部４６ａと同様の断面形状を有しているため、断面Ｂの中央線Ｃ２より内側の流速と断面Ｂの中央線Ｃ２より外側の流速がほぼ均一となり、上昇部４６ｂおける流れの淀みが抑制される。
ここで、上昇管路４６の上昇部４６ｂの断面積が入口から出口までほぼ一定であるため、上昇管路４６の上昇部４６ｂに流入した洗浄水は、上昇管路４６の上昇部４６ｂ内を、流速分布をほぼ維持した状態で入口から出口まで流れることができる。
【００４６】
上述のように、上昇管路４６の上昇部４６ｂは、上昇部前壁４６ｃと上昇部後壁４６ｄとは、前後方向において平行な壁面を形成し、且つ同一の傾斜及び傾斜角度を有するように形成されているので、共通壁４８に沿った流れＦ３と、上昇管路後壁４０ｂに沿った流れＦ４とが前後方向において比較的平行な上昇する流れが形成される。
加えて、上昇部前壁４６ｃと上昇部後壁４６ｄとの間の距離が、上昇管路４６の上昇部４６ｂの入口部から出口部まで一定に形成されているため、各壁面に沿った流れが乱れにくく、流れ同士が干渉したり、淀みを発生させたりすることなく、流れることができる。
【００４７】
上述した本実施形態の小便器１によれば、排水トラップ部４０を上述のような構造としたので、排水トラップ部４０内の尿と水とが混ざり合った尿濃度の非常に高い溜水が、新たな排水トラップ部４０に流入する洗浄水によって効率よく置換されるように（入れ替えられるように）排出される。
よって、洗浄水量が低減される場合においても、比較的少ない洗浄水量により、排水トラップ部４０内の尿濃度の非常に高い溜水を効率よく置換することが可能となり、溜水の置換率が向上される。
【００４８】
そして、排水トラップ部４０の上昇管路４６から流出する洗浄水は、排水室６０に流入し、排水室６０から排水ソケット５２を介して排水配管５４に排出される。
【００４９】
吐水装置３０は一定時間ボウル部１０に向かって吐水を行った後に吐水を停止し、小便器１の一連の洗浄動作が終了する。
【００５０】
この小便器１の一連の洗浄動作が終了した直後において、排水トラップ部４０内には尿濃度の低い洗浄水が溜水として存在しており、このように溜水の置換率が向上したため、小便器１の各回の一連の洗浄動作が終了した後において、排水トラップ部４０内の溜水に残存する尿の濃度が一定の基準以下に低減され、溜水に残存する尿成分による排水トラップ部４０内への尿石の付着（発生）を抑制できる。
【００５１】
上述した本発明の実施形態による小便器１によれば、排水トラップ部４０の横引管路４４及び上昇管路４６の少なくとも何れか一方の排水方向に直交する断面は、この断面の中央より小便器内部側が断面の中央より小便器外部側よりも小さな断面積となるように形成されているので、排水トラップ部４０の横引管路４４または上昇管路４６の断面の中央より内側の流速と断面の中央より外側の流速との速度差が抑制され、これにより、横引管路４４または上昇管路４６における流れの淀みが抑制されるため、排水トラップ部４０内の溜水の置換率が向上し、横引管路４４または上昇管路４６における尿石の堆積を抑制することができる。
【００５２】
また、本実施形態による小便器１によれば、排水トラップ部４０の上昇管路４６は、その断面積が入口から出口までほぼ一定となるように形成されているので、排水トラップ部４０の上昇管路４６内で流速の変化が生じにくくなり、排水トラップ部４０の上昇管路４６における流れの淀みが抑制されるため、上昇管路４６における尿石の堆積をさらに抑制することができる。
【００５３】
さらに、本実施形態による小便器１によれば、排水トラップ部４０の下降管路４２は、その断面積が入口から出口まで徐々に減少するように形成されているので、下流側に向かうにつれて下降管路４２内の流速が高まることで排水トラップ部４０内の溜水の置換が速やかに行われるため、横引管路４４および上昇管路４６における尿石の堆積をさらに抑制することができる。
【００５４】
また、本実施形態による小便器１によれば、排水トラップ部４０の下降管路４２は、その断面がほぼ円形に形成されているので、下降管路４２の断面積が横引管路４４の横引き管路入口４４ａの面積より大きくなり、横引管路４４内に流入する流れが下降管路４２内より加速されることで、横引管路４２における流れの淀みを抑制されるため、横引管路４２における尿石の堆積をさらに抑制することができる。
【００５５】
さらに、本実施形態による小便器１によれば、排水トラップ部４０の横引管路４４及び上昇管路４６は、それぞれ、その断面の幅寸法が、下降管路４２の出口４２ｄの流路断面の最小の幅寸法とほぼ同一の大きさとなるように形成されているので、排水トラップ部４０内の排水の流速が維持された状態となり、乱流が発生し難くなることで横引管路４４または上昇管路４６における流れの淀みを抑制されるため、排水トラップ部４０内の溜水の置換が速やかに行われ、横引管路４４および上昇管路４６における尿石の堆積をさらに抑制することができる。
【符号の説明】
【００５６】
１    小便器
１０    ボウル部
１２    ボウル面
１４    排水口
３０    吐水装置
４０    排水トラップ部
４２    下降管路
４２ｃ  入口
４２ｄ  出口
４４    横引管路
４６    上昇管路
【図１】
0006607341.tif 000002
【図２】
0006607341.tif 000003
【図３】
0006607341.tif 000004
【図４】
0006607341.tif 000005
【図５】
0006607341.tif 000006
【図６】
0006607341.tif 000007